(57)【要約】【課題】  イメージメモリに対して画像情報量が多いと判断された場合にも画像をイメージメモリに収めることができる画像読取り装置及び画像形成装置を提供する。【解決手段】  搬送過程のシート状の原稿に記録された画像情報を読取ると共に原稿幅を読取る読取り手段６と、読取った画像情報を格納する画像格納手段４と、画像情報の読取り開始前に読取り手段で読取った原稿幅から定型サイズ紙を判断し読取り密度と併せて画像情報量を算出する制御手段１とを備え、制御手段１は、画像格納手段４の容量に対して画像情報量が多いと判断した場合には、画像格納手段４の占有量が少なくて済む画質もしくはファイル形式になるよう、読取りモードを変更する画像読取り装置。【選択図】        図１
2007005940.tif 000002
【特許請求の範囲】
【請求項１】
搬送過程のシート状の原稿に記録された画像情報を読取ると共に原稿幅を読取る読取り手段と、読取った画像情報を格納する画像格納手段と、画像情報の読取り開始前に読取り手段で読取った原稿幅から定型サイズ紙を判断し読取り密度と併せて画像情報量を算出する制御手段とを備え、前記制御手段は、前記画像格納手段の容量に対して画像情報量が多いと判断した場合には、前記画像格納手段の占有量が少なくて済む画質もしくはファイル形式になるよう、読取りモードを変更することを特徴とする画像読取り装置。
【請求項２】
画質もしくはファイル形式を変更する際に、変更を行うか否かを選択入力する操作手段を備えたことを特徴とする請求項１記載の画像読取り装置。
【請求項３】
請求項１記載の画像読取り装置を搭載したことを特徴とする画像形成装置。
【発明の詳細な説明】
【技術分野】
【０００１】
本発明は、画像読取り装置及びその画像読取り装置を搭載したディジタル複写機、スキャナ装置、ファクシミリ装置などの画像形成装置に関し、特に、画像情報を格納するイメージメモリが少ない場合の画像読取り格納制御技術に関する。
【背景技術】
【０００２】
読取り時の条件をいくつか設定可能な画像読取り装置においては、画質もしくは保存される時のファイル形式によっては読取った画像情報量が画像格納手段（イメージメモリ）の容量を越えてしまうケースがある。イメージメモリに対して画像情報量が多い場合の読取り制御技術として、特許文献１に示されるような技術が提案されている。
【特許文献１】特開２０００−２９５３９４公報
【発明の開示】
【発明が解決しようとする課題】
【０００３】
しかしながら、特許文献１に記載の技術では、読取りを開始してイメージメモリに対して画像情報量が多いと判断された場合は、読取りを止めたり読取りを途中までにするなどの技術の提案にとどまっている。
ところで、定形用紙であれば事前に検知された幅から長さを推測することが可能であり、その幅と長さより、指定された読取りモードで読取りを行った場合にどれだけのイメージメモリを占有するかも算出できる。
本発明はこのような背景に鑑みてなされたものであり、イメージメモリに対して画像情報量が多いと判断された場合にも画像をイメージメモリに収めることができる画像読取り装置及び画像形成装置を提供することを目的とする。
【課題を解決するための手段】
【０００４】
上記目的を達成するために、請求項１記載の発明は、搬送過程のシート状の原稿に記録された画像情報を読取ると共に原稿幅を読取る読取り手段と、読取った画像情報を格納する画像格納手段と、画像情報の読取り開始前に読取り手段で読取った原稿幅から定型サイズ紙を判断し読取り密度と併せて画像情報量を算出する制御手段とを備え、制御手段は、画像格納手段の容量に対して画像情報量が多いと判断した場合には、画像格納手段の占有量が少なくて済む画質もしくはファイル形式になるよう、読取りモードを変更する画像読取り装置を最も主要な特徴とする。
請求項２記載の発明は、画質もしくはファイル形式を変更する際に、変更を行うか否かを選択入力する操作手段を備えた請求項１記載の画像読取り装置を主要な特徴とする。
請求項３記載の発明は、請求項１記載の画像読取り装置を搭載した画像形成装置を最も主要な特徴とする。
【発明の効果】
【０００５】
本発明によれば、読取りを開始する以前に画像情報量を推測し、画像格納手段（イメージメモリ）の容量を越えてしまうと判断された場合、自動的に画質もしくは保存される時のファイル形式を変更することにより、画像情報をイメージメモリに収めることができる。
また、画質もしくは保存される時のファイル形式を変更する際に、変更を行うか否かを選択できるようにしたことにより、ユーザーの都合を考慮し、利便性を向上することができる。
【発明を実施するための最良の形態】
【０００６】
以下、図面を参照して本発明の実施形態を説明する。
図１は本発明の実施形態に係る画像形成装置の機能ブロック図である。本画像形成装置は、全体を制御するＣＰＵ１、処理手順が格納されたＲＯＭ２、処理を行うにあたって一時的にデータを記憶するＲＡＭ３、読取った画像情報を格納するイメージメモリ４、イメージメモリ４に格納された画像情報を指定されたファイル形式でファイルとして保存するファイル保存部５が内部バス１２に接続されている。また読取り部６、印刷部７、操作部８が各々の制御部９〜１１を介して内部バス１２に接続されている。
読取り部６は、原稿を搬送させて１ラインごとに画像を読取るシートスルー型読取り部であり、原稿の幅を検知可能である。操作部８は、ＬＣＤとハードキーによって構成されている。
本画像形成装置は、原稿１枚ごとに、読取り部６にて読取った画像を一時的にイメージメモリ４に蓄え、それをファイルとしてファイル保存部５に保存するとともにイメージメモリ４をクリアする機能を有し、それを印刷出力する機能も持っている。
また本画像形成装置（の読取り部６）は、フルカラーでの読取りが可能であり、その場合にＲ、Ｇ、Ｂの３枚の画像プレーンをイメージメモリ４内に作成するものとする。
さらに、読取りモードとして通常モードと高圧縮ＰＤＦモードとを持ち、高圧縮ＰＤＦモードのときには高圧縮ＰＤＦファイルとして画像を保存し、その場合は上記に加えてもう１枚の画像プレーンをイメージメモリ６内に作成するものとする。
【０００７】
図２は本発明の制御動作を示すフローチャートである。又、図３は操作部の表示例を示す図である。以下の制御はＣＰＵ１の働きによってなされる。フルカラーの読取りの場合、Ｒ、Ｇ、Ｂ各１面ずつ、同サイズの画像プレーンを使用することがあらかじめわかっている。また高圧縮ＰＤＦモードの場合はさらにもう１面、同サイズの画像プレーンを使用することがわかっている。
つまり通常モードと高圧縮ＰＤＦモードとで、使用するイメージメモリ４の比は一意に３：４である。前提として、読取り密度は４００ｄｐｉ、原稿はＡ３サイズ、イメージメモリ４は３０Ｍバイトを搭載しているとする。
高圧縮ＰＤＦモードで読取りを行う際、まず最初に読取りモードが高圧縮ＰＤＦモードであることを検知する（Ｓ１）。原稿が読取り部６にセットされると、原稿幅を検知する（Ｓ２）。この場合２９７ｍｍと検知されるので、Ａ３サイズと判断し、長さを４２０ｍｍと算出する（Ｓ３）。原稿の幅と長さ及び読取り密度より画像情報量を算出する（Ｓ４）。この場合１プレーン９Ｍバイトとなるため、合計９Ｍバイト×４プレーン＝３６Ｍバイトが必要となる。
【０００８】
次に画像情報量とイメージメモリ４の容量を比較する（Ｓ５）。この場合画像情報量は３６Ｍバイト、イメージメモリ４の容量は３０Ｍバイトであるので、操作部８に、図３に示すアラートを表示し（Ｓ６）、ユーザーに読取りモードを変更するかどうかを選択させ（Ｓ７）、変更する場合には読取りモードを通常モードに変更する（Ｓ８）。そして再度原稿の幅と長さより画像情報量を算出する（Ｓ９）。この場合９Ｍバイト×３プレーン＝２７Ｍバイトとなる。これは３０Ｍバイト以内に収まっているため、これで読取りモードが確定する。
最後に読取り開始の指示を待ち（Ｓ１０）、読取りを行いながら画像をイメージメモリ４に格納し、格納し終えたところで指定された読取りモードでファイルを作成する。作成されたファイルはファイル保存部５に保存される。なお画像情報量がイメージメモリ４の容量を上回っていた場合、読取りモードを変更してもよい。
【図面の簡単な説明】
【０００９】
【図１】本発明の実施形態に係る画像形成装置の機能ブロック図。
【図２】本発明の画像形成装置における制御動作を示すフローチャート。
【図３】操作部の表示例を示す図。
【符号の説明】
【００１０】
１  ＣＰＵ（制御手段）
２  イメージメモリ（画像格納手段）
６  読取り部（読取り手段）
８  操作部（操作手段）
【図１】
2007005940.tif 000003
【図２】
2007005940.tif 000004
【図３】
2007005940.tif 000005